(57)【特許請求の範囲】
【請求項１】
採血作業者による被採血者に対する採血を支援する採血業務支援システムにおいて、
採血待ち被採血者リストを管理する被採血者管理手段と、
前記採血待ち被採血者リストに基づいて、各被採血者ごとに採血待ち時間又は採血時刻の少なくとも一方を時間情報として予測演算する時間情報演算手段と、
前記各被採血者に対して前記時間情報を提供する時間情報提供手段と、
を含み、更に、
採血管の本数ごとに標準の採血準備時間を対応付けてなる本数別準備時間テーブルと、
採血管の本数ごとに標準の採血時間を対応付けてなる本数別採血時間テーブルと、
被採血者の年齢ごとに被採血者を呼び出してから採血が開始されるまでの標準の呼び出し時間を対応付けてなる年齢別呼び出し時間テーブルと、
を含み、
前記被採血者管理手段は、前記採血待ち被採血者リスト上の被採血者ごとに採血作業量を表す採血作業量情報を管理し、
前記時間情報演算手段は、前記時間情報を予測演算する対象となった被採血者ごとに、当該被採血者より採血順位が上位の採血待ち被採血者を特定し、その前記採血作業量情報に基づいて、前記時間情報を予測演算し、
前記採血作業量情報は、採血で使用する採血管の本数を表す情報を有し、
前記時間情報演算手段は、前記時間情報を予測演算する対象となった被採血者ごとの前記時間情報の予測演算に当たって、前記本数別準備時間テーブル、前記本数別採血時間テーブル及び前記年齢別呼び出し時間テーブルを参照し、当該被採血者より採血順位が上位の採血待ち被採血者について、前記採血管の本数に応じた採血準備時間及び採血時間と、呼び出し時間と、を求めることにより当該被採血者より採血順位が上位の採血待ち被採血者についての所要時間の総和を求め、その総和を、並行して採血作業を実施する採血台の台数で割ることによって、前記時間情報を予測演算する、ことを特徴とする採血業務支援システム。
【請求項２】
請求項１記載のシステムにおいて、
前記時間情報演算手段は、更に、過去の採血実績情報に基づいて前記時間情報を予測演算することを特徴とする採血業務支援システム。
【請求項３】
請求項２記載のシステムにおいて、
前記過去の採血実績情報は、過去における予測演算された時間情報と、過去における実際の採血待ち時間又は採血時刻と、の差分としての予測誤差情報を含むことを特徴とする採血業務支援システム。
【請求項４】
採血作業者による被採血者に対する採血を支援する採血業務支援システムにおいて、
採血待ち被採血者リストを管理する被採血者管理手段と、
前記採血待ち被採血者リストに基づいて、各被採血者ごとに採血待ち時間又は採血時刻の少なくとも一方を時間情報として予測演算する時間情報演算手段と、
前記被採血者ごとに前記時間情報が記入された採血票を発行する採血票発行手段と、
を含み、更に、
採血管の本数ごとに標準の採血準備時間を対応付けてなる本数別準備時間テーブルと、
採血管の本数ごとに標準の採血時間を対応付けてなる本数別採血時間テーブルと、
被採血者の年齢ごとに被採血者を呼び出してから採血が開始されるまで標準の呼び出し時間を対応付けてなる年齢別呼び出し時間テーブルと、
を含み、
前記時間情報演算手段は、前記本数別準備時間テーブル、前記本数別採血時間テーブル及び前記年齢別呼び出し時間テーブルを参照し、前記時間情報を予測演算する対象となった被採血者より採血順位が上位の採血待ち被採血者について、採血管の本数に対応した採血準備時間及び採血時間と、年齢に対応した呼び出し時間と、を求めることにより当該被採血者より採血順位が上位の採血待ち被採血者についての所要時間の総和を求め、その総和を、並行して採血作業を実施する採血台の台数で割ることによって、前記時間情報を予測演算することを特徴とする採血業務支援システム。
【請求項５】
請求項４記載のシステムにおいて、
過去における予測演算された時間情報と、過去における実際の採血待ち時間又は採血時刻と、の差分としての予測誤差情報を蓄積格納した実績テーブルを含み、
前記時間情報演算手段は、前記実績テーブル上の過去の予測誤差情報を利用して前記予測演算される時間情報の補正を行うことを特徴とする採血業務支援システム。
【発明の詳細な説明】
【０００１】
【発明の属する技術分野】
本発明は採血業務支援システムに関し、特に被採血者へ採血票を発行して被採血者を管理するシステムに関する。
【０００２】
【従来の技術】
病院の血液検査部門等では、採血作業者（看護婦など）により、採血管を利用して被採血者に対して採血がなされる。血液検査項目などに応じて、多様な採血管が用意され、被採血者に対する採血１回当たり、被採血者ごとにあらかじめ定められた１又は複数の採血管を利用して採血が実施される。
【０００３】
従来の採血業務支援システムは、例えば、複数の採血台のそれぞれにおいて採血作業者によって採血を行う際に、被採血者の割り当てを含む被採血者の管理や各被採血者用の採血管セットの供給などを行うシステムである。そのようなシステムの中には、新規の被採血者が受け付けられると、その被採血者に対して採血票（採血受付整理票）が発行されるものがある。その採血票は、例えば、患者名、受付番号及びそれらを表すバーコードなどが印刷されたものである。それらのバーコードは、被採血者を電子的に管理するために利用され、また、採血台に現れた被採血者を照合する際の情報として利用される。
【０００４】
【発明が解決しようとする課題】
しかしながら、従来のシステムにおいては、採血票の発行時に、被採血者に対して採血呼び出し時刻あるいは採血待ち時間などの情報は提供されていなかった。よって、被採血者は、自分が何時呼び出されるかを把握できず、その呼び出しまで待合い室に事実上拘束され、このため、時にはストレスを感じることもあった。そこで、被採血者側の視点から採血サービスを向上することが望まれている。なお、本願に関連する出願として平成１２年１２月２６日に出願された特願２０００−３９５５９５号がある。
【０００５】
本発明は、上記従来の課題に鑑みなされたものであり、その目的は、被採血者に対して待ち時間あるいは採血時刻の目安となる時間情報を提供できるシステムを構築することにある。
【０００６】
本発明の他の目的は、上記時間情報の推定精度を向上させて、信頼性の高いシステムを構築することにある。
【０００７】
【課題を解決するための手段】
（１）上記目的を達成するために、本発明は、採血作業者による被採血者に対する採血を支援する採血業務支援システムにおいて、採血待ち被採血者リストを管理する被採血者管理手段と、前記採血待ち被採血者リストに基づいて、各被採血者ごとに採血待ち時間又は採血時刻の少なくとも一方を時間情報として予測演算する時間情報演算手段と、前記各被採血者に対して前記時間情報を提供する時間情報提供手段と、を含み、更に後述する特徴事項を含むことを特徴とする。
【０００８】
上記構成によれば、各被採血者には、時間情報として、自己に採血順番がくるまでの予測待ち時間あるいは予測時刻が提供されるため、各被採血者の便宜を図って、採血サービスを向上できる。ここで、時間情報の提供は、各被採血者に個別的に発行する採血票（採血受付整理票）に当該時間情報を印字することによって達成するのが望ましいが、それと共にあるいはそれに代えて、当該時間情報をディスプレー表示などで出力するようにしてもよい。上記構成において、採血待ち時間と採血時刻の両情報を提供してもよいし、一方の情報を提供してもよい。前者の場合には、受付時刻の情報も同時に提供するのが望ましい。なお、採血時刻は、通常は被採血者側の視点から見て採血呼び出し時刻であるのが自然であるが、実際に採血が開始される時刻であってもよいし、他の基準となる時刻であってもよい。これは予測演算される採血待ち時間の終期についても同様である。いずれにしても、自己に採血の順番がくるまでの時間的目安を提供すれば、被採血者に生じる焦燥感、拘束感、ストレスといったものを緩和、解消できる。
【０００９】
本発明において、前記被採血者管理手段は、前記被採血者リスト上の被採血者ごとに採血作業量を表す採血作業量情報を管理し、前記時間情報演算手段は、前記時間情報を予測演算する対象となった被採血者ごとに、当該被採血者より採血順位が上位の採血待ち被採血者を特定し、その前記採血作業量情報に基づいて、前記時間情報を予測演算する。これは、採血作業量は採血に要する時間を左右するものであり、よって今後の各被採血者につき採血で要する時間を考慮して予測演算を行うものである。
【００１０】
本発明において、前記採血作業量情報は採血で使用する採血管の本数を表す情報である。採血時間は採血管の本数（それに対応する採血準備時間及び採血時間）に大きく依存するため、それを考慮することによって、予測演算精度を向上できる。
【００１１】
望ましくは、前記時間情報演算手段は、更に、並行して採血作業を実施する採血台の台数に基づいて前記時間情報を予測演算する。つまり、複数の採血台つまり複数の採血作業者によって、同時進行で採血が実施される場合、単位時間当たりの処理能力が採血台の台数に依存するため、その台数を考慮して時間情報の予測演算がなされる。
【００１２】
望ましくは、前記時間情報演算手段は、更に、過去の採血実績情報に基づいて前記時間情報を予測演算する。望ましくは、前記過去の採血実績情報は、過去における予測演算された時間情報と、過去における実際の採血待ち時間又は採血時刻と、の差分としての予測誤差情報を含む。この予測誤差情報を利用して、予測演算式を補正すれば、予測演算精度を高められる。
【００１３】
（２）また、上記目的を達成するために、本発明は、採血作業者による被採血者に対する採血を支援する採血業務支援システムにおいて、採血待ち被採血者リストを管理する被採血者管理手段と、前記採血待ち被採血者リストに基づいて、各被採血者ごとに採血待ち時間又は採血時刻の少なくとも一方を時間情報として予測演算する時間情報演算手段と、前記被採血者ごとに前記時間情報が記入された採血票を発行する採血票発行手段と、を含み、更に後述する特徴事項を含むことを特徴とする。
【００１４】
上記構成において、採血待ち被採血者リストは、新規の被採血者の登録及び採血の実施（終了）に伴って随時更新され、その採血待ち被採血者リストから各採血台へ採血待ち被採血者が順番に引き当てられる。望ましくは、その採血待ち被採血者リスト上には、各被採血者ごとに採血管の本数も管理され、その本数の情報が時間情報の予測演算に利用される。時間情報は各被採血者に渡される採血票に記入され、これによって各被採血者は自己に採血の順番が回ってくるおおよその時間を認識でき、不安感、拘束感が解消される。
【００１５】
上記構成において、更に、採血管の本数ごとに標準の採血準備時間を対応付けてなる本数別準備時間テーブルと、採血管の本数ごとに標準の採血時間を対応付けてなる本数別採血時間テーブルと、を含み、前記時間情報演算手段は、少なくとも前記本数別準備時間テーブル及び前記本数別採血時間テーブルを参照し、各被採血者の採血管の本数に対応した採血準備時間及び採血時間を考慮しつつ前記時間情報を予測演算する。
【００１６】
望ましくは、被採血者の年齢ごとに被採血者を呼び出してから採血を開始するまでの標準の呼び出し時間を対応付けてなる年齢別呼び出し時間テーブルを含み、前記時間情報演算手段は、更に前記年齢別呼び出し時間テーブルを参照し、各採血待ち被採血者の年齢に対応した呼び出し時間を考慮しつつ前記時間情報を予測演算する。
【００１７】
望ましくは、過去における予測演算された時間情報と、過去における実際の採血待ち時間又は採血時刻と、の差分としての予測誤差情報を蓄積格納した実績テーブルを含み、前記時間情報演算手段は、前記実績テーブル上の過去の予測誤差情報を利用して前記予測演算される時間情報の補正を行う。
【００１８】
【発明の実施の形態】
以下、本発明の好適な実施形態を図面に基づいて説明する。
【００１９】
図１には、本発明に係る採血業務支援システムの好適な実施形態が示されており、図１はその全体構成を示すブロック図である。この採血業務支援システムは例えば病院内に設置されるものである。
【００２０】
図１に示す採血業務支援システムは、大別して、検査受付ユニット１０、管理ユニット１２、配給ユニット１４、複数の採血台ユニット１６及び搬送機構１８を有している。複数の採血台ユニット１６はそれぞれの採血台ごとに設置されたものであり、各採血台ユニット１６は採血作業者による被採血者への採血の実施を支援するための設備を備えている。各採血台ユニット１６では、担当することになった被採血者の呼び出しが行われ、それに応じて現れた被採血者へ採血が実施される。そして、この一連の採血業務が複数台（ｎ台）の採血台ユニット１６において同時進行で繰り返される。
【００２１】
本実施形態においては、配給ユニット１４が、複数の採血台ユニット１６に対して採血で必要な採血管の供給を行っており、具体的には、搬送機構１８が有する搬送ライン４９を利用して、配給ユニット１４からの採血管が供給先となった採血台ユニット１６へ搬送される。
【００２２】
まず、検査受付ユニット１０について説明する。検査受付処理装置２０は例えばコンピュータなど構成されるものであり、新規の被採血者ごとに採血の受付を行って、それらの各被採血者ごとに紙片状の採血票（採血受付整理票）２８（後述）を発行する装置である。
【００２３】
検査受付処理装置２０には、入力部２１としてのカードリーダー２２及び入力器２４が接続されている。カードリーダー２２は、必要に応じて、被採血者ごとに携帯される患者カードなどから当該被採血者の情報を読み取る手段である。患者カードからの読み取りに代えて、キーボードなどで構成される入力器２４を利用して、被採血者に関する情報の入力も行い得る。
【００２４】
検査受付処理装置２０に対しては、病院内のホストコンピュータから、被採血者ごとに、患者情報及び採血情報が伝送されている。それらの情報は、検査受付処理装置２０を介して、あるいは直接的に、管理ユニット１２へ伝送される。管理ユニット１２では、それらの情報が後述する管理テーブル４２上に格納されて管理される。検査受付処理装置２０には記憶部３０が接続されており、その記憶部３０上には、本実施形態において、本数別準備時間テーブル３２、年齢別呼び出し時間テーブル３４、本数別採血時間テーブル３６及び実績テーブル３８が構築される。各テーブルの内容については後に図３乃至図６を用いて説明する。プリンタ２６は、検査受付処理装置２０の制御の下、採血票２８を発行する手段として機能し、具体的には紙片上に後述する各情報の印字を行う。
【００２５】
本実施形態において、検査受付処理装置２０は、採血を行う新規の被採血者ごとに採血待ち時間（本人に採血の順番が回ってくるまでの時間）を予測演算し、その時間情報を当該被採血者に提供するサービス機能を有する。具体的には、検査受付処理装置２０は、まず、新規の被採血者（受付対象者）を管理テーブル４２上に受付順で登録する際に、その管理テーブル４２上において、当該受付対象者よりも受付順位が上位であって、未だいずれの採血台への割り当てがなされていない採血待ち被採血者（グループ）を特定し、同時に、それらの採血待ち被採血者の各人について、採血で使用する採血管の本数及び年齢を特定する。そして、その特定された各情報を利用して、各テーブル３２〜３８から採血待ち被採血者ごとに、準備時間（採血準備時間）、呼び出し時間、採血時間を求め、更に必要に応じて実績テーブルから補正値を求め、それらの時間情報及び補正値を予測演算式に代入することによって、当該受付対象について予測される採血待ち時間を演算する。その予測演算された採血待ち時間は、上記の通り採血票２８上に印字される。この一連のプロセスについては、後に詳述することにする。
【００２６】
図２の（Ｂ）には、本実施形態において発行される採血票２８の具体例が示されている。一方、図２（Ａ）に示される採血表２８’は、採血票の従来例である。まず、従来例としての採血票２８’について説明すると、その採血票２８’には被採血者の氏名７０、受付番号７２及びそれらの情報をコードとして表したバーコード７４が印刷されている。しかしながら、このような採血票２８’によると、それを受け取った被採血者は、自己の採血開始時刻あるいはそれまでの待ち時間がどの程度であるか一切予測できず、不安な状態におかれることになる。
【００２７】
これに対し、本実施形態の採血票２８によれば、図２の（Ｂ）に示すように、上述した各情報７０、７２、７４に加えて、採血票２８を発行した時刻の情報７６及び当該被採血者についての採血待ち時間の情報７８が印刷される。すなわち、被採血者は自己が受け取った採血票２８に印刷された採血待ち時間の情報７８等を見ることによって、採血までどのくらい待てばよいかを認識することができ、また発行した時刻の情報７６と採血待ち時間の情報７８とを併せ見ることによって、採血時刻（呼び出し時刻）を予測することができる。もちろん、採血待ち時間の情報７８に代えて、自己の呼び出しが行われる時刻の情報を印刷するようにしてもよいし、その時刻の情報と共に採血待ち時間の情報７８を印刷するようにしてもよい。
【００２８】
ちなみに、本実施形態においては、被採血者ごとに採血票２８を発行し、その採血票２８ごとに採血待ち時間の情報７８を印字するようにしたが、もちろん何らかのディスプレイ上にそのような時間情報を表示するようにしてもよい。
【００２９】
なお、この採血票２８は、各被採血者に対して個別的に受付番号を提示するためのものであり、また、採血に先だって個々の被採血者を照合するためのものである。本実施形態は、その採血票２８を採血待ち時間の情報を提供する媒体として活用するものである。
【００３０】
図１において、管理ユニット１２は、本実施形態において、システム制御部４０と、メモリ上に構築される管理テーブル４２とを有する。システム制御部４０は例えばコンピュータなどからなるものである。このシステム制御部４０は、システム内における各装置の動作制御を実行すると共に、本実施形態においては、特に、管理テーブル４２の管理を遂行し、また、管理テーブル４２の内容に従って、各採血台ユニット１６への被採血者の割り当てを遂行している。すなわち、各採血台ユニット１６は、次の被採血者への採血に先立って、採血作業者（オペレータ）の指示入力に基づき、管理ユニット１２に対して被採血者の割り当て要求を発行する機能を有している。このような割り当て要求が発行されると、その発行の順番に従って、システム制御部４０は、管理テーブル４２に形成された採血待ち患者リスト上において、採血待ち順位が最も上位の被採血者を順番に割り当てる制御を実行する。ちなみに、そのような被採血者の割り当てに伴って、当該割り当てられた被採血者に関する採血情報等が配給ユニット１４へ供給されて配給制御及びラベリング処理で利用され、一方、被採血者の割り当てに係る採血台ユニット１６に対しては、採血業務を支援するために、その割り当てられた被採血者についての被採血者情報及び採血情報が送信される。なお、本実施形態では、新規の被採血者の管理テーブル（採血待ち被採血者リスト）４２への登録処理は、上記のように、検査受付処理装置２０によって直接的になされているが、もちろん、その登録処理をシステム制御部４０が行うようにしてもよい。ここで、本実施形態では、システム制御部４０は、採血待ち被採血者リストの追加、変更、更新、削除などの管理機能を具備する。
【００３１】
配給ユニット１４は、本実施形態において、収容庫４４、ラベリングユニット４６及びハンドリングユニット４８によって構成される。収容庫４４は、例えば１０種類の採血管群を収容したものであり、システム制御部４０から出力された採血情報に基づいて、その収容庫４４から各被採血者ごとに必要な１又は複数の採血管が自動的に取り出される。その取り出された各採血管はラベリングユニット４６に送られ、そこで各採血管に対して当該採血管を管理するためのバーコードラベルが貼付され、そのバーコードラベル貼付後の採血管がハンドリングユニット４８によって取り出されて搬送ライン４９へ投入される。この場合において、搬送機構１８は、各採血管ごとに搬送先を管理する。すなわち、被採血者が割り当てられた採血台ユニット１６に対して、当該被採血者の採血で必要な１又は複数の採血管が配送されることになる。ちなみに、採血管の搬送は、各被採血者ごとにまとめてセット単位で行うようにしてもよいし、採血管１本ごとに行うようにしてもよい。また、本実施形態においては、１本の搬送ライン４９のみが示されているが、各採血台ユニット１６ごとに独立して搬送ラインを設けることもできる。
【００３２】
次に、採血台ユニット１６について説明する。上述したように、採血台ユニット１６は、採血台ごとに設けられる採血支援のための設備である。その採血台ユニット１６には、搬送ライン４９に接続された排出トレイ５０が設けられている。この排出トレイ５０は、割り当てられた被採血者の採血に先だって、その採血に必要な１又は複数本の採血管が排出される。ちなみに、収容庫４４にあらかじめ収容されていない特殊タイプの採血管に対しては、本実施形態においては、採血作業者によって手作業でバーコードラベルの貼付などの準備作業がなされる。いずれにしても、被採血者の採血に先だって必要な採血管が用意される。
【００３３】
ユニット制御部５２は、採血台ユニット１６が有する各構成の動作制御を行っているものであり、例えばコンピュータなどによって構成される。このユニット制御部５２は、システム制御部４０への割り当て要求発行機能、及び、システム制御部４０から伝送されてくる情報の処理の機能を有する。
【００３４】
そのユニット制御部５２に接続された表示器５６は例えば液晶パネルなどによって構成され、その表示器５６上には、割り当てられた被採血者に関して被採血者情報や採血情報などが表示される。そのような情報に従って採血作業者は採血を実施する。入力器５４はキーボードなどによって構成されるものであり、もちろん液晶パネル上に設けられたタッチセンサによって、その入力器５４を構成してもよい。呼出表示器５８は複数桁からなる番号表示器などによって構成され、被採血者を呼び出す際には、その受付番号が複数桁によって表示される。また、呼出用スピーカ６０は、呼出に係る被採血者の氏名や受付番号などを音声出力するものである。
【００３５】
ラベルリーダー６２は、採血台に現れた被採血者が所持する採血票２８から、そこに付されているバーコード７４の情報を読み取るための装置である。このような読み取りによって被採血者の照合がなされる。プリンタ６４は、必要に応じてバーコードラベルなどを印字したり、あるいは必要な情報を印字したりするための装置である。
【００３６】
もちろん、図１に示したシステム構成は一例であって、これ以外にも各種の構成を採用し得るが、いずれにしても各被採血者ごとに採血待ち時間あるいは採血時刻といった時間情報を提供することにより、被採血者に対する採血サービスの便宜を図ることができるという利点がある。
【００３７】
次に、図３〜図７を用いて、採血待ち時間の予測演算の際に参照される各テーブルの具体的な構成例について説明する。
【００３８】
図３には、本数別準備時間テーブル３２の具体的な構成例が示されている。この本数別準備時間テーブル３２においては、採血管の本数ごとに準備時間（Ａ）が対応づけられており、すなわち、被採血者についての採血管の本数が特定されると、その本数から当該被採血者についての標準の採血準備時間を求めることができる。
【００３９】
図４には年齢別呼び出し時間テーブル３４の具体的な構成例が示されている。この例では、年齢区分ごとに標準の呼び出し時間（Ｂ）が対応づけられている。ちなみに、呼び出し時間は、この実施形態では、採血台において被採血者を呼び出してから本人が現れて採血が実際に開始されるまでの時間として定義されている。その呼び出し時間には、上述したように採血票２８を利用した照合すなわち本人確認のための時間なども含まれている。
【００４０】
図５には、本数別採血時間テーブル３６の具体的な構成例が示されている。この例では、各採血管の本数ごとに標準の採血時間（Ｃ）が対応づけられている。
【００４１】
よって、このようなテーブル３２〜３６を参照することにより、採血待ち被採血者について、必要な採血管の本数や年齢が特定されると、その者について採血で必要となる所要時間Ｓ（Ｓ＝Ａ＋Ｂ＋Ｃ）を推定することが可能となる。
【００４２】
本実施形態では、年齢が考慮されるため、年齢が考慮されない場合、よりその推定精度を向上することができる。更に、採血管の種別、採血量、性別、その他被採血者に関わる情報を考慮するようにしてもよい。
【００４３】
なお、採血待ち時間の予測演算式の例については後に詳述するが、その予測演算に当たっては、後述のように、稼働している採血台の台数ｎも考慮されている。
【００４４】
図６には、実績テーブル３８の具体的な構成例が示されている。この実績テーブル３８は、過去における採血の実績、特に予測誤差を管理するためのテーブルである。具体的に説明すると、過去における各被採血者の受付番号８０ごとに、受付時刻８２、採血時刻８４、実績待ち時間８６、推定時間８８、及び予測誤差９０の各情報が管理されている。ここで、実績待ち時間８６は、受付時刻と採血時刻との差であり、その差と予測演算によって求められた推定時間（予測待ち時間）とを比較することによって予測誤差９０が算出される。その算出に関わる演算は具体的には検査受付装置２０によって実行される。
【００４５】
そして、例えば３０分などの時間単位ごとに、予測誤差の平均値が求められ、それが補正値α９２として、後述する予測演算式の補正パラメータとして利用される。ちなみに、図６においては、発明を説明するために、１日分の各時間帯における補正値αが示されているが、もちろん１週間あるいは１ヶ月を単位として各時間帯ごとに平均値としての補正値αを求めるのが望ましく、かかる構成によれば、より予測演算の精度を高めることができる。
【００４６】
図７には、管理テーブル４２の内容、すなわち採血待ち被採血者リストの具体的な構成例が示されている。この図７に示す例では、各受付番号１００ごとに被採血者情報１０２及び採血情報１０４が管理されている。ここで、被採血者情報１０２はこの例において、患者識別番号（ＩＤ）、氏名、年齢などの情報によって構成され、また、採血情報１０４は、この例において採血管の本数、各採血管の種別などの情報によって構成される。また、割当て済みフラグ１０６は、各被採血者ごとにいずれかの採血台ユニットへの割り当て済みか否か、換言すれば、採血待ち被採血者であるか否かを特定する情報である。
【００４７】
図８には、被採血者ごとの所要時間Ｓの内訳が例示されている。ここで、所要時間Ｓは、この例において、採血管の準備その他の準備を行う準備時間Ａと、被採血者を呼び出してから採血を実際に開始できるまでの呼び出し時間Ｂと、採血管によって採血を実施する期間としての採血時間Ｃと、を加算したものとして定義されている。図８の例では、Ｓ１は割り当て要求の発行タイミングを示し、Ｓ２は被採血者の呼び出しタイミングを示し、Ｓ３は被採血者が現れてその照合も完了し実際に採血を開始するに至ったタイミングを示している。さらに、Ｓ４は採血完了のタイミングを示し、これは同時に次の被採血者の割り当て要求の発行タイミングに相当する。なお、実際の採血業務に当たって、採血管の準備の途中で次の被採血者の呼び出しが行われるような場合には、各時間の定義を変更すればよい。いずれにしても採血者ごとの所要時間Ｓを定義することができる。
【００４８】
図１に戻って、検査受付処理装置２０は、上述したように、新しい被採血者につき受付処理を行う際に、その新しい被採血者に関してホストコンピュータから入手される情報（被採血者情報、採血情報）を、自らあるいはシステム制御部４０への指令をもって、管理テーブル４２上に登録し、同時に、当該被採血者よりも採血待ち順位が上位にある採血待ち被採血者（グループ）を特定し、その個々の被採血者について、上述した各テーブル３２〜３６の参照及び予測演算式の実行をもって所要時間を推定し、更に、採血待ち被採血者についての所要時間を加算することによって所要時間の総和を求め、それを実際に並列的に稼働している採血台の台数ｎで除することにより、当該採血受付を新しく行った被採血者について、採血待ち時間を予測演算する。そして、その予測演算された採血待ち時間を採血票２８へ印刷する制御を実行する。また、実績テーブル３８への採血待ち時間の格納を行う。
【００４９】
以下に、そのような採血待ち時間の予測演算の具体例について詳述することにする。
【００５０】
現在受け付けた被採血者（受付対象者）についての受付番号がｍである場合に、その受付対象者が採血までおよそ待つべき時間（予測待ち時間）Ｔｍは、以下の（１）式によって演算される。但し、ｉは受付対象者よりも受付順位が上位である採血待ち被採血者の人数を表す。つまり、現在以後最も早く割り当てられる採血待ち被採血者（先頭被採血者）の受付番号はｍ−１−ｉとし、受付対象者の直前順位にある採血待ち被採血者（直前被採血者）の受付番号はｍ−１とする。
【００５１】
【数１】
Ｔｍ＝｛Σ（Ａｋ＋Ｂｋ＋Ｃｋ）｝／ｎ          ・・・（１）
（但し、ｋ：ｍ−１−ｉ〜ｍ−１）
ここで、Ａｋ＋Ｂｋ＋Ｃｋ：採血待ち被採血者ごとの所要時間
Ａｋ：採血待ち被採血者ごとの採血準備時間
Ｂｋ：採血待ち被採血者ごとの呼び出し時間
Ｃｋ：採血待ち被採血者ごとの採血時間
ｎ：採血実施中の採血台の台数
上記の採血管準備時間Ａｋは、採血待ち被採血者ごとに管理テーブル４２から採血管の本数を特定し、その採血管の本数から本数別準備時間テーブル３２を参照して求められる。つまり、採血管の本数を考慮して個別的に決定される。上記の呼び出し時間Ｂｋは、被採血者ごとに一定値としてもよいし、採血待ち被採血者ごとに年齢別呼び出し時間テーブル３４を参照して求めてもよい。つまり、年齢帯ごとの平均的な行動性を考慮するようにしてもよい。上記の採血時間Ｃｋは、採血待ち被採血者ごとに管理テーブル４２から採血管の本数を特定し、その採血管の本数から本数別採血時間テーブル３６を参照して求められる。つまり、採血待ち被採血者ごとに所要時間（Ａｋ＋Ｂｋ＋Ｃｋ）（＝Ｓｋ）が算出され、それらを積算し、その積算値を採血台数ｎで除することによって、上記の通り、当該受付対象患者についての採血待ち時間Ｔｍが算定される。
【００５２】
次に、第１変形例について検討する。上記の（１）式の計算では、受付番号ｍの被採血者に採血票を発行する場合（現在）において、その者の予測待ち時間Ｔｍの計算に当たっては、受付番号ｍ−１−ｉの先頭被採血者から受付番号ｍ−１の直前被採血者までが考慮されている。逆に言えば、現在以後、いずれかの採血台において採血が完了し、これにより先頭被採血者がその採血台に割り当てられるまでの時間（タイムラグｃ）は考慮されていない。また、受付番号ｍの被採血者に関しても、将来、その者がいずれかの採血台に割り当てられてから、その者が実際に呼び出されるまでの時間（つまり採血準備時間Ａｍ）は考慮されていない。よって、上記の（１）式に対してタイムラグｃ及び受付番号ｍの被採血者の採血準備時間Ａｍを加えて予測待ち時間Ｔｍを計算するのが望ましい。その場合には以下の（２）式を利用できる。
【００５３】
【数２】
Ｔｍ＝｛Σ（Ａｋ＋Ｂｋ＋Ｃｋ）／ｎ｝＋Ａｍ＋ｃ  ・・・（２）
（但し、ｋ：ｍ−１−ｉ〜ｍ−１）
上記（２）式において、Ａｍは本人の採血準備時間であり、ｃは上記タイムラグを一定時間とみなした場合の値である。但し、各採血台における採血進行状況がリアルタイムで認識できるならば、最も採血が進行している採血台を特定し、その採血台の進行度合いから採血終了（つまり次の割り当て要求）までの時間を予測して、その時間をｃとするようにしてもよい。
【００５４】
次に、第２の変形例について説明する。この第２の変形例は、実績テーブル３８に格納された情報を採血待ち時間の予測演算に利用するものである。
【００５５】
この場合には、以下の（３）式を利用できる。
【００５６】
【数３】
Ｔｍ＝｛Σ（Ａｋ＋Ｂｋ＋Ｃｋ）／ｎ｝＋α        ・・・（３）
（但し、ｋ：ｍ−１−ｉ〜ｍ−１）
上記（３）式において、αは補正値であり、過去における予測待ち時間（推定待ち時間）と実際の実績待ち時間の差分（予測誤差）から、当該補正値αが求められる。この場合、図６において実績テーブル３８の具体例を示したように、各時間帯（例えば３０分）ごとに補正値αを用意し、時間帯ごとに補正値αを変えるのが望ましい。その場合に、前日の実績データから求められる時間帯ごとの誤差平均、１週間の実績データから求められる時間帯ごとの誤差平均、あるいは、１ヶ月における実績データから求められる時間帯ごとの誤差平均、などを補正値αとしてもよい。このような手法によれば、時間帯ごとの共通の誤差要因を考慮できる利点がある。
【００５７】
もちろん、このような補正値αに、各採血作業者のスキル、その他の諸要因を考慮するようにしてもよいし、また、上記の採血管の本数に加えて、採血管の種別、採血量などを考慮するようにしてもよい。いずれにしても、実際の採血現場における諸々の要素を考慮することによってより予測精度を向上して被採血者にとって親切なシステムを構築できる。上記（２）式にαの項を入れてもよい。
【００５８】
【発明の効果】
以上説明したように、本発明によれば、被採血者に対して採血待ち時間の目安となる時間情報を提供できるので、被採血者に対するサービスを向上できるという利点がある。
【図面の簡単な説明】
【図１】  本発明に係る採血業務支援システムの全体構成を示すブロック図である。
【図２】  採血票の従来例と本実施形態とを示す図である。
【図３】  本数別準備時間テーブルの具体的な構成例を示す図である。
【図４】  年齢別呼び出し時間テーブルの具体的な構成例を示す図である。
【図５】  本数別採血時間テーブルの具体的な構成例を示す図である。
【図６】  実績テーブルの具体的な構成例を示す図である。
【図７】  管理テーブル上に構築される採血待ち患者リストの具体的な構成例を示す図である。
【図８】  各時間の関係を説明するための図である。
【符号の説明】
１０  検査受付ユニット、１２  管理ユニット、１４  配給ユニット、１６  採血台ユニット、１８  搬送機構、２０  検査受付処理装置、２６  プリンタ、２８  採血票、３２  本数別準備時間テーブル、３４  年齢別呼び出し時間テーブル、３６  本数別採血時間テーブル、３８  実績テーブル、４２  管理テーブル。
【図１】
0004156813.tif 000002
【図２】
0004156813.tif 000003
【図３】
0004156813.tif 000004
【図４】
0004156813.tif 000005
【図５】
0004156813.tif 000006
【図６】
0004156813.tif 000007
【図７】
0004156813.tif 000008
【図８】
0004156813.tif 000009